(57)【要約】      （修正有）【課題】品質の安定はもとより、省コストに繋がり、短時間での加工が可能となる宣伝用車両を提供する。【解決手段】駆動エンジン部及び駆動伝達部を覆った車体カバーを有し、かつ運転席を有する車両において、おのおの着脱自在としたあらかじめ宣伝デザインが施された片側面もしくは両側面の部材パネル６，６および天井部材パネル９と必要に応じて後部面部材パネルとによって、運転席を囲って遮蔽空間を形成するような構造の宣伝用車両であって、これらの部材パネルはユニット方式に分解できるパネルを組み合わせて、装着できる仕組みを有し、またさらにはパネルをＶカット構造として、折りたたみ可能としたり、或いは分割したパネルを回転構造として、複数の図柄を表示できる構造とする。【選択図】  図３
2006267989.tif 000002
【特許請求の範囲】
【請求項１】
少なくとも駆動エンジン部及び駆動伝達部を覆った車体カバーを有し、かつ運転席を有する車両において、おのおの着脱自在としたあらかじめ宣伝デザインが施された片側面もしくは両側面の部材パネルおよび天井部材パネルと必要に応じて後部面部材パネルとによって、運転席を囲って遮蔽空間を形成することを特徴とする宣伝用車両。
【請求項２】
車両本体の両側面の前方位置及び後方位置の合わせて４角にコの字部材を有し、かつ車両本体の両側面のほぼ中央位置に駆動伝達部カバー部位置より天井位置までの間にかけて、Ｔ字状部材を鉛直方向に各々両側面に設置したことを特徴とする請求項１記載の宣伝用車両。
【請求項３】
使用する各部材パネルにＶ字カットによる折りたたみ加工を有することを特徴とする請求項１または２に記載の宣伝用車両。
【請求項４】
車両の両側面において使用する部材パネルは、前部コの字部材から中央位置のＴ字状部材にかけての前部部材パネルと中央位置のＴ字状部材から後部コの字部材にかけての後部部材パネルとから構成され、これらを装着後、透明シート又は透明部材を両側面の前部コの字部材から後部コの字部材にかけて装着することにより、嵌め込んだ前部部材パネル及び後部部材パネルを固定することが出来ることを特徴とする請求項１乃至３のいずれか１項に記載の宣伝用車両。
【請求項５】
車両両側の後部コの字部材にヒンジ部を形成することにより、このヒンジに組み付けられた天井部材パネルがその前面部からこのヒンジ部を中心として、回動自在に着脱できることを特徴とする請求項１乃至４のいずれか１項に記載の宣伝用車両。
【請求項６】
使用する部材パネルのその断面形状を矩形もしくは三角形形状とした分割部材パネルとし、その分割部材パネルの側部中央位置に各々回転軸を設け、その分割パネル部材をあらかじめ穿孔したコの字部材もしくはＴ字状部材の穴位置に装着し、この回転軸を中心に分割部材パネルを各々回転させることにより、あらかじめパネル表面の表裏もしくは三面に施された異なる宣伝デザインを表示することが出来る請求項１乃至５のいずれか１項に記載の宣伝用車両。
【発明の詳細な説明】
【技術分野】
【０００１】  本発明は、街中を走行することにより宣伝効果を発揮する、車体に宣伝表示手段を設けた宣伝用車両に関する。
【背景技術】
【０００２】  従来の宣伝用車両では通常ボディに塗装を施したり、シールを貼り付けたり、宣伝用機材を装着したりしてきた。さらに一工夫した方法としては、車両ボディに即して広告宣伝が印刷された透明パネルを嵌合し、この内側から照明具により光を透光させる仕組みを施したものがある（たとえば、特許文献１参照）。また、タンク車においてはタンク部を覆うようにカバーを立設し、ここに宣伝を施したものがある（たとえば、特許文献２参照）。また、貨物車においては、荷台を壁面に変えて、広告表示シートを張設したものがある（たとえば、特許文献３参照）。また、幌つき自動車においては、幌部外側に広告を出し入れする透明樹脂シートによるポケットを設置し、広告シートを出し入れすることにより変更できるようにしたものもある（たとえば、特許文献４参照）。【０００３】  図８は従来の実施例の一実施例を示した斜視図である。車両ボディ２０に即して、広告が印刷された透明パネル２１を嵌合した宣伝用車両について説明する。これは車体ボディ２０にアクリルなどの透明パネル２１を嵌合させて、その内側に照明具を設けて、昼間はのみならず夜間においても広告効果の向上を図ったものである。
【特許文献１】特開２０００−１９８３８２（第３頁、第１図）
【特許文献２】特開２００１−１１７５２０（第３頁、第１図）
【特許文献３】特開２００３−２３３３４０（第３頁、第１図）
【特許文献４】特開２００４−０９８７８４（第４頁、第１図）
【発明の開示】
【発明が解決しようとする課題】
【０００４】  上記、従来の実施例において、広告シートをそのまま出し入れする方法以外においては、いずれの方法においても、現場での施工が要求されていた。そのために特にシートの張替えなどをきちんと仕上げることにおいてはかなりの専門的な技術が要求されてきた。また、さらに作業のコスト面、時間的な面でかなりの制約が発生していた。本発明では、これらの課題を簡単容易に解決することを狙いとしている。製作専門の工場などの加工場において加工を集中して出来ることにより、品質の安定はもとより、省コストに繋がり、短時間での加工が可能となる。
【課題を解決するための手段】
【０００５】  本発明は、ユニット方式に分解できるパネルを組み合わせて、装着できる仕組みを有する車両とすることにより、現場にてパネルを所定位置にはめ込むだけで、簡単容易に宣伝物を車両に装着することができる。さらにはパネルをＶカット構造として、折りたたみ可能としたり、分割したパネルを回転構造として、複数の図柄を表示できる構造とする。
【発明の効果】
【０００６】  本発明の宣伝用車両は、現場において、広告物を交換装着することが容易に出来るため、専門の技術者は不要である。さらには取替え交換に要する時間もそれほどかからない。また専門の工場など一箇所で集中して加工し、その後現場に配送する仕組みとするため、品質の安定はもとより、作業効率も高くなる。また本発明の宣伝用車両は車体本体を構成するパネルを宣伝広告に供しているため、構造上車両としての一体感があり、人目を引くことが出来る。また。パネルは折りたたみ構造や分割構造を有するためコンパクトに梱包することが出来る。さらに、回転構造とした分割パネルタイプはパネルを車両に装着後、分割パネル各々を回転させることによって、複数の広告を切り替え表示することが出来る。
【発明を実施するために最良の形態】
【０００７】  少なくとも駆動エンジン部及び駆動伝達部を覆った車体カバーを有し、かつ運転席を有する車両において、おのおの着脱自在としたあらかじめ宣伝デザインが施された片側面もしくは両側面の部材パネルおよび天井部材パネルと必要に応じて後部面部材パネルとによって、運転席を囲って遮蔽空間を形成するような構造とした宣伝用車両である。
【実施例】
【０００８】  図１は本発明の実施例を示す斜視図である。駆動エンジンカバー部１、燃料タンク或いは蓄電池を内蔵する駆動伝達カバー部２を有した車両において、両側面において、前方位置及び後方位置の４角に、コの字状部材３を設置してある。【０００９】  また、両側面のほぼ中央位置に駆動伝達カバー部２より天井部材４位置までの間にかけて、Ｔ字状部材５を鉛直方向に各々両側面に設置している。【００１０】  図２はＴ字状部材の構成を示す斜視図である。このＴ字状部材５は図２に示すように、２つのＬ字状部材５ａの組み合わせによっても可能である。【００１１】  図３は宣伝用部材パネルを装着した状態を示す宣伝用車両の斜視図である。両側面には側面前部パネル６を側面前部位置のコの字部材３と側面中央位置のＴ字条部材５の間に、側面後部パネル７を側面中央位置のＴ字条部材５と後部位置のコの字部材３との間に嵌め込んで装着してある。そして、透明部材８を前部位置のコの字部材３から後部位置のコの字部材３にかけて装着することにより、剛性が補強され、しっかりと固定される。本実施例においては天井部パネル９にも宣伝が施されている、この部材の両側部にコの字部材３ａを嵌め込んで補強した後、車両後部位置の２角に固定されているコの字部材３にヒンジ１０により装着され、ここを中心として前部より開閉自在とされている。【００１２】  図４は本発明の宣伝用車両の後部面図である。後部面パネル１１も側面パネルと同様にコの字部材３に嵌め込んだ後、透明部材８を装着することにより、固定されている。天井部パネル９はヒンジ１０により回動自在に装着されている。【００１３】  図５は宣伝用部材パネルの断面図を示したものである。たとえば、側面前部パネル６の断面を示したもの、このようにＶカット加工１２を施すことにより、そのラインに沿って折りたたむことが出来る。そのゆえに、コンパクトな大きさにすることが出来、搬送などを始め取り扱いが容易となる。【００１４】  図６及び図７はその他の宣伝用部材パネルの分割方法を示した斜視図である。分割パネルを回転方式にすることで表示を変えるものである。図６の場合、断面が矩形の平面状の分割パネル１３に回転軸１４が形成されている。回転軸１４を中心にして、それぞれのパネルを１８０度回転させることで、表と裏におのおの宣伝デザインを施しておくことにより、表示を２種類変更することができる。【００１５】  図７の場合、断面三角形状の分割パネル１３ａに回転軸１４ａが形成されている。回転軸１４ａを中心にして、それぞれのパネルを１２０度回転していくことで、三角柱表面の三面におのおの異なる宣伝デザインを施しておくことにより、表示を３種類変更することができる。【００１６】  これらの図６と図７に示した分割パネル１３、１３ａを本発明の宣伝用車両に装着するには、宣伝用部材パネルを嵌め込むコの字部材３とＴ字状部材５に回転軸１４、１４ａを嵌め込む穴を回転軸位置にあわせて、あらかじめ開けておくことが必要となる。
【図面の簡単な説明】
【００１７】
【図１】本発明の実施例である宣伝用車両を示す斜視図
【図２】Ｔ字状部材の構成を示す斜視図
【図３】宣伝用部材パネルを装着した状態を示す宣伝用車両の斜視図
【図４】本発明の宣伝用車両の後部面図
【図５】宣伝用部材パネルの断面図
【図６】その他の宣伝用部材パネルの分割方法を示した斜視図
【図７】その他の宣伝用部材パネルの分割方法を示した斜視図
【図８】従来の実施例のうち一実施例を示した斜視図
【符号の説明】
【００１８】  １    駆動エンジンカバー部
２    駆動伝達カバー部
３    コの字状部材
３ａ  コの字状部材
４    天井部材
５    Ｔ字状部材
５ａ  Ｌ字状部材
６    側面前部パネル
７    側面後部パネル
８    透明部材
９    天井部パネル
１０    ヒンジ
１１    後部面パネル
１２    Ｖカット加工
１３    分割パネル
１３ａ  分割パネル
１４    回転軸
１４ａ  回転軸
２０    車体ボディ
２１    透明パネル
【図１】
2006267989.tif 000003
【図２】
2006267989.tif 000004
【図３】
2006267989.tif 000005
【図４】
2006267989.tif 000006
【図５】
2006267989.tif 000007
【図６】
2006267989.tif 000008
【図７】
2006267989.tif 000009
【図８】
2006267989.tif 000010